(57)【特許請求の範囲】
【請求項１】
気相成分分析装置の加熱部に導入される試料を採取し、該加熱部内で加熱されることにより該試料を気化させるサンプリングユニットであって、
試料採取ロッドと、試料採取片とを備え、
該試料採取片は、表面を被覆して不活性化する下塗り層と、該下塗り層の表面を被覆し該試料を吸着する樹脂被膜層とを備え、
該樹脂被膜層を形成する樹脂の極性が異なる複数種の該試料採取片を備え、該試料採取片は該試料採取ロッドの先端に着脱自在に装着され、
該試料採取片は、該樹脂被膜層を形成する樹脂の極性毎に、該加熱部で加熱されたときに分子構造を維持可能な無機顔料により識別可能に着色されていることを特徴とするサンプリングユニット。
【請求項２】
請求項１記載のサンプリングユニットにおいて、前記試料採取片は金属製コイルであり、前記試料採取ロッドは鋭利な先端を備え、該金属製コイルは該試料採取ロッドの先端に着脱自在に装着されることを特徴とするサンプリングユニット。
【請求項３】
請求項１記載のサンプリングユニットにおいて、前記無機顔料は、セラミック顔料、複合酸化物顔料、ベンガラ、塩基性クロム酸鉛、チタン白、亜鉛華、カーボンからなる群から選択される１種以上の顔料であることを特徴とするサンプリングユニット。
【請求項４】
請求項３記載のサンプリングユニットにおいて、前記セラミック顔料は、Ｃｏ−Ｃｒ−Ｆｅ系顔料、Ｃｏ−Ｍｎ−Ｆｅ系顔料、アンチモンスズグレー、ジルコングレー、Ｚｎ−Ｃｒ−Ｆｅ系顔料、Ｚｎ−Ａｌ−Ｃｒ−Ｆｅ系顔料、ナポリ黄、プラセオジム黄、バナジウムスズ黄、バナジウムジルコニウム黄、Ｚｒ−Ｔｉ−Ｖ−Ｉｎ系顔料、クロムチタン黄、Ｚｒ−Ｓｉ−Ｃｄ−Ｓ系顔料、Ｚｒ−Ｙ−Ｖ系顔料、ピーコック、ビクトリアグリーン、クロムグリーン、Ｃｒ系顔料、Ｃｏ−Ｃｒ系顔料、紺青、海碧、Ｃｏ−Ｚｎ−Ｓｉ系顔料、Ｃｏ−Ｓｉ系顔料、バナジウムジルコニウム青、クロムスズライラック、ライラック、クロムスズピンク、陶試紅、サーモンピンク、クロムアルミナピンク、ファイアーレッドからなる群から選択される１種以上の顔料であることを特徴とするサンプリングユニット。
【発明の詳細な説明】
【技術分野】
【０００１】
本発明は、気体・液体中の微量成分を吸着させ、該微量成分を加熱により熱脱着させて、ガスクロマトグラフ−質量分析等の分析法に用いる試料を採取するサンプリングユニットに関する。
【背景技術】
【０００２】
従来、発生ガス分析、熱分解ガスクロマトグラフ−質量分析等の熱分析法に用いる液体試料又は微粉末の固体試料を直接採取するサンプリングユニットとして、金属製マイクロコイルを試料採取ロッドに溶着したサンプリングユニットが提案されている（非特許文献１参照）。
【先行技術文献】
【非特許文献】
【０００３】
【非特許文献１】金子毅ら、「マイクロコイルを用いるＧＣ用サンプリングデバイスの試作とその応用」、BUNSEKI KAGAKU、Vol.4、No.5、pp.365-369(2015)
【発明の概要】
【発明が解決しようとする課題】
【０００４】
非特許文献１記載のサンプリングユニットにおいて、前記金属製マイクロコイルの表面を不活性化し、樹脂により被覆することが考えられる。このようにするときには、不活性化された前記金属製マイクロコイルの表面を被覆する樹脂の極性が異なれば該樹脂に吸着される試料も異なるため、分析対象に応じて異なる極性を備える樹脂を使い分けてサンプリングすることにより試料中の各種成分を選択的に分析することができると考えられる。
【０００５】
しかしながら、前記従来のサンプリングユニットにおいて、前記金属製マイクロコイルは前記試料採取ロッドに溶着されているため、分析対象に応じて異なる極性を備える樹脂を使い分けてサンプリングするためには、樹脂の極性毎に異なる前記サンプリングユニットを準備しなければならないという不都合がある。
【０００６】
本発明は、かかる不都合を解消して、分析対象に応じて異なる極性を備える樹脂を容易に使い分けてサンプリングすることができるサンプリングユニットを提供することを目的とする。
【課題を解決するための手段】
【０００７】
かかる目的を達成するために、本発明のサンプリングユニットは、気相成分分析装置の加熱部に導入される試料を採取し、該加熱部内で加熱されることにより該試料を気化させるサンプリングユニットであって、試料採取ロッドと、試料採取片とを備え、該試料採取片は、表面を被覆して不活性化する下塗り層と、該下塗り層の表面を被覆し該試料を吸着する樹脂被膜層とを備え、該樹脂被膜層を形成する樹脂の極性が異なる複数種の該試料採取片を備え、該試料採取片は該試料採取ロッドの先端に着脱自在に装着され、 該試料採取片は、該樹脂被膜層を形成する樹脂の極性毎に、該加熱部で加熱されたときに分子構造を維持可能な無機顔料により識別可能に着色されていることを特徴とする。
【０００８】
本発明のサンプリングユニットは、試料採取ロッドと、試料採取片とを備え、該試料採取片は、表面を被覆して不活性化する下塗り層と、該下塗り層の表面を被覆し該試料を吸着する樹脂被膜層とを備える。前記樹脂被膜層は、分析対象に応じて異なる極性を備える樹脂を使い分けることにより試料中の各種成分を選択的に分析することができる。
【０００９】
このとき、本発明のサンプリングユニットによれば、前記樹脂被膜層を形成する樹脂の極性が異なる複数種の前記試料採取片を備え、各試料採取片は前記試料採取ロッドの先端に着脱自在に装着されるようになっているので、必要に応じて各試料採取片を交換することができ、分析対象に応じて異なる極性を備える樹脂を容易に使い分けてサンプリングすることができる。
ところで、本発明のサンプリングユニットにおいて、前記樹脂被膜層を形成する樹脂を分析対象に応じて異なる極性を備える樹脂として、該樹脂の極性の相違により複数種の前記試料採取片を備える場合、該試料採取片は外見上からは、該樹脂の極性の相違を判別することができないという問題がある。
そこで、本発明のサンプリングユニットにおいて、前記コイル状試料採取片は、前記樹脂被膜層を形成する樹脂の極性毎に、前記加熱部で加熱されたときに分子構造を維持可能な無機顔料により識別可能に着色されている。
この結果、前記試料採取片は、前記樹脂被膜層を形成する樹脂の極性を外見から容易に判別することができ、分析対象に対して適切な樹脂被膜層を備える該試料採取片を、誤りなく確実に用いることができる。また、前記樹脂被膜層の着色に用いられる無機顔料は、前記加熱部で加熱されたときに分子構造を維持可能であるので、該無機顔料が分析の障害となることを避けることができる。
【００１０】
本発明のサンプリングユニットにおいて、前記試料採取片は金属製コイルであり、前記試料採取ロッドは鋭利な先端を備え、該金属製コイルは該試料採取ロッドの先端に着脱自在に装着されることが好ましい。前記試料採取片が金属製コイルであり、前記試料採取ロッドが鋭利な先端を備える構成によれば、該金属製コイルの内側に該試料採取ロッドの先端を押し込み、該金属製コイルを試料採取ロッドの先端に嵌合させることにより、容易に着脱自在に装着することができる。
【００１４】
また、本発明のサンプリングユニットにおいて、前記樹脂被膜層の着色に用いられる前記無機顔料としては、例えば、セラミック顔料、複合酸化物顔料、ベンガラ、塩基性クロム酸鉛、チタン白、亜鉛華、カーボンからなる群から選択される１種以上の顔料を用いることができる。また、前記セラミック顔料としては、Ｃｏ−Ｃｒ−Ｆｅ系顔料、Ｃｏ−Ｍｎ−Ｆｅ系顔料、アンチモンスズグレー、ジルコングレー、Ｚｎ−Ｃｒ−Ｆｅ系顔料、Ｚｎ−Ａｌ−Ｃｒ−Ｆｅ系顔料、ナポリ黄、プラセオジム黄、バナジウムスズ黄、バナジウムジルコニウム黄、Ｚｒ−Ｔｉ−Ｖ−Ｉｎ系顔料、クロムチタン黄、Ｚｒ−Ｓｉ−Ｃｄ−Ｓ系顔料、Ｚｒ−Ｙ−Ｖ系顔料、ピーコック、ビクトリアグリーン、クロムグリーン、Ｃｒ系顔料、Ｃｏ−Ｃｒ系顔料、紺青、海碧、Ｃｏ−Ｚｎ−Ｓｉ系顔料、Ｃｏ−Ｓｉ系顔料、バナジウムジルコニウム青、クロムスズライラック、ライラック、クロムスズピンク、陶試紅、サーモンピンク、クロムアルミナピンク、ファイアーレッドからなる群から選択される１種以上の顔料を用いることができる。
【図面の簡単な説明】
【００１５】
【図１】気相成分分析装置の一構成例を示す模式的断面図。
【図２】本発明のサンプリングユニットの一構成例を示す模式的断面図。
【図３】本発明のサンプリングユニットの他の構成例を示す模式的断面図。
【図４】本発明のサンプリングユニットの要部を拡大して示す側面図。
【図５】本発明のサンプリングユニットを用いて採取した試料の分析例を示すクロマトグラムであり、図５Ａは樹脂被膜層を形成する樹脂として極性の無い樹脂を用いた場合のクロマトグラム、図５Ｂは樹脂被膜層を形成する樹脂として中程度の極性を有する第１の樹脂を用いた場合のクロマトグラム、図５Ｃは樹脂被膜層を形成する樹脂として中程度の極性を有する第２の樹脂を用いた場合のクロマトグラム、図５Ｄは樹脂被膜層を形成する樹脂として大きな極性を有する樹脂を用いた場合のクロマトグラム。
【発明を実施するための形態】
【００１６】
次に、添付の図面を参照しながら本発明の実施の形態についてさらに詳しく説明する。
【００１７】
図１に示すように、ガスクロマトグラフ−質量分析等の分析法に用いる気相成分分析装置１は、恒温槽１０と、恒温槽１０の上方に設けられた加熱部１１と、加熱部１１の開口端を閉塞するセプタム１２と、恒温槽１０の外部で加熱部１１に接続されたキャリヤガス導入管１３と、恒温槽１０の内部に配置されたキャピラリーカラム等の分離カラム１４と、質量分析計等からなる検出部１５とを備えている。分離カラム１４は、一方の端部で加熱部１１の下端に接続され、他方の端部で検出部１５に接続されている。また、加熱部１１は、内部にヒータ１６が配設され、下部にはスプリットベント管１７が接続されている。
【００１８】
気相成分分析装置１によれば、セプタム１２に穿刺されたサンプリングユニット２により導入される試料を加熱部１１内でヒータ１６により加熱することにより、複数の化合物の混合物からなる気相成分を生成させる。生成した気相成分は、キャリヤガス導入管１３から導入されるキャリヤガスにより分離カラム１４に導入される。
【００１９】
このとき、スプリットベント管１７は、開閉弁１８を開弁することにより加熱部１１で生成した気相成分の一部を排出して、分離カラム１４に導入される該気相成分の量を調整することができる。尚、前記気相成分の量が微量である場合は、スプリットベント管１７の開閉弁１８を閉弁することにより、生成した該気相成分の全量を分離カラム１４に導入してもよい。
【００２０】
また、恒温槽１０は所定の温度に加熱されており、前記気相成分は、前記所定の温度下で分離カラム１４により該気相成分を構成する各化合物に分離される。そして、分離された各化合物が、検出部１５で検出される。
【００２１】
本実施形態のサンプリングユニット２は、例えば、図２Ａに示すように、筒状のシリンダ２０と、シリンダ２０の内壁に沿って摺動自在の押動部材としてのプランジャ２１と、シリンダ２０の先端部に取り付けられた筒状の接続部２２と、接続部２２を介して、シリンダ２０の先端部に接続された筒状のニードル２３とからなるシリンジ２４を備える。
【００２２】
プランジャ２１は先端にガスケット２５を備え、ガスケット２５に試料採取ロッド２６の基端部が固定されている。接続部２２には、ゴム製のシール部材２７が配設されており、試料採取ロッド２６はシール部材２７を貫通して設けられている。試料採取ロッド２６は、プランジャ２１により進退されることにより、ニードル２３から出没自在とされており、試料採取ロッド２６の先端にはコイル状試料採取片２８が着脱自在に装着されている。
【００２３】
また、シリンダ２０は、ガスケット２５とシール部材２７との間にシリンダ２０の内部空間２０ａと外部とを連通する連通孔２９を備え、ガスケット２５の基端部側に螺着された抜け止め部３０を備える。抜け止め部３０は先端部がシリンダ２０の内部に突出しており、ガスケット２５が当接することにより、プランジャ２１の抜け止めとして作用する。抜け止め部３０は、シリンダ２０の一部を溶融させて内部に突起させるようにしてもよく、ネジ等の先端をシリンダ２０の内部に突出させるようにしてもよい。
【００２４】
サンプリングユニット２は、図２Ａに示すように、プランジャ２１を押動して試料採取ロッド２６を前進させることにより、試料採取ロッド２６の先端及び該先端に装着されているコイル状試料採取片２８をニードル２３から突出させることができる。また、サンプリングユニット２は、図２Ｂに示すように、プランジャ２１を引いて試料採取ロッド２６を後退させることにより、試料採取ロッド２６の先端及び該先端に装着されているコイル状試料採取片２８をニードル２３内に収容することができる。
【００２５】
サンプリングユニット２では、前述のように、プランジャ２１を押動する際にはシリンダ２０の内部空間２０ａ内の空気が連通孔２９から外部に流出し、プランジャ２１を引く際には外部の空気が連通孔２９から内部空間２０ａ内に流入する。従って、サンプリングユニット２では、プランジャ２１の操作を容易に行うことができる。
【００２６】
また、本実施形態のサンプリングユニット２は、図３Ａ及び図３Ｂに示すように、シール部材２７及び連通孔２９を備えない構成とすることもできる。
【００２７】
図４に示すように、試料採取ロッド２６は、その先端部２６ａが基端部側から先端に向かって次第に縮径されて鋭利な先端を備えるように構成されており、例えば、基端側の径が０．３ｍｍであり、先端部２６ａの先端から１ｍｍとなる位置の径が０．１３ｍｍ〜０．１５ｍｍとなっている。このとき、コイル状試料採取片２８は、内径が０．１ｍｍとなるように構成されており、コイル状試料採取片２８の内側に試料採取ロッド２６の先端部２６ａを押し込んで嵌合させることにより、先端部２６ａに着脱自在に装着することができる。
【００２８】
コイル状試料採取片２８は、ステンレス等の金属製コイルと、該金属製コイルの表面を被覆して不活性化する下塗り層と、該下塗り層の表面を被覆する樹脂被膜層とを備える。前記下塗り層は、前記金属製コイルの表面を被覆して不活性化することができるものであればどのようなものであってもよいが、例えば、ケイ素被膜層、石英被膜層、チタン被膜層等を挙げることができる。
【００２９】
前記下塗り層は、前記ケイ素被膜層又は、前記石英被膜層であることがさらに好ましい。前記ケイ素被膜層又は、前記石英被膜層は、大気中の水分との反応により表面にシラノール基が形成され、該シラノール基が前記樹脂被膜層を形成する樹脂と化学結合を形成することができる。
【００３０】
前記樹脂被膜層は、試料を吸着することができる樹脂からなり、分析対象に応じて異なる極性を備える樹脂を用いることができる。例えば、極性の無い樹脂としては、ジメチルポリシロキサン等を挙げることができ、中程度の極性を有する樹脂としては、シアノプロピルフェニルジメチルポリシロキサン、ポリエチレングリコールとジメチルポリシロキサンとの混合物等を挙げることができ、大きな極性を有する樹脂としては、ポリエチレングリコール等を挙げることができる。
【００３１】
また、本実施形態のサンプリングユニット２は、前記樹脂被膜層を形成する樹脂がそれぞれ異なる極性を備える複数のコイル状試料採取片２８を備えており、各コイル状試料採取片２８は該樹脂の極性毎に識別可能に着色されている。前記着色は、前記樹脂層を形成する樹脂に、加熱部１１で加熱されたときに分子構造を維持可能な無機顔料を混合することにより行うことができる。
【００３２】
前記無機顔料は１００〜４００℃の温度で加熱されたときに分子構造を維持可能であることが好ましく、このような無機顔料として、例えば、セラミック顔料、複合酸化物顔料、ベンガラ、塩基性クロム酸鉛、チタン白、亜鉛華、カーボン等を用いることができる。また、前記セラミック顔料としては、Ｃｏ−Ｃｒ−Ｆｅ系顔料、Ｃｏ−Ｍｎ−Ｆｅ系顔料、アンチモンスズグレー、ジルコングレー、Ｚｎ−Ｃｒ−Ｆｅ系顔料、Ｚｎ−Ａｌ−Ｃｒ−Ｆｅ系顔料、ナポリ黄、プラセオジム黄、バナジウムスズ黄、バナジウムジルコニウム黄、Ｚｒ−Ｔｉ−Ｖ−Ｉｎ系顔料、クロムチタン黄、Ｚｒ−Ｓｉ−Ｃｄ−Ｓ系顔料、Ｚｒ−Ｙ−Ｖ系顔料、ピーコック、ビクトリアグリーン、クロムグリーン、Ｃｒ系顔料、Ｃｏ−Ｃｒ系顔料、紺青、海碧、Ｃｏ−Ｚｎ−Ｓｉ系顔料、Ｃｏ−Ｓｉ系顔料、バナジウムジルコニウム青、クロムスズライラック、ライラック、クロムスズピンク、陶試紅、サーモンピンク、クロムアルミナピンク、ファイアーレッド等を用いることができる。
【００３３】
本実施形態のサンプリングユニット２０は、試料を採取したコイル状試料採取片２８の内側に試料採取ロッド２６の先端部２６ａを押し込んで嵌合させた後、試料採取ロッド２６を後退させ、先端部２６ａ及びコイル状試料採取片２８をニードル２３内に収容する。次に、先端部２６ａ及びコイル状試料採取片２８がニードル２３内に収容されている状態で、図１に示すように、サンプリングユニット２のニードル２３を気相成分分析装置１のセプタム１２に穿刺した後、先端部２６ａ及びコイル状試料採取片２８をニードル２３から露出させ、加熱部１１内で加熱することにより樹脂層に吸着された試料を熱脱着させて気相成分を生成させる。そして、生成した気相成分を分離カラム１４に導入してガスクロマトグラフィーを行う。
【００３４】
また、コイル状試料採取片２８に採取した試料がポリマーである場合には、コイル状試料採取片２８を試料採取ロッド２６に装着することなく、そのまま熱分解装置に導入し、該ポリマーを熱分解させることにより生成した気相成分を分離カラム１４に導入してガスクロマトグラフィーを行うことができる。
【００３５】
次に、本発明の実施例を示す。
【実施例】
【００３６】
〔実施例１〕
本実施例では、内径１ｍｍ、長さ１０ｍｍのステンレス製コイルの表面にケイ素被膜層を形成し、該ケイ素被膜層上に、無極性の樹脂としてのジメチルポリシロキサンからなる厚さ２μｍの樹脂被膜層を形成することにより、コイル状試料採取片２８を調製した。本実施例のコイル状試料採取片２８は、前記樹脂層に無機顔料としてチタン白が混合されることにより、白色に着色されている。
【００３７】
次に、２０ミリリットルの容積の容器に１０ミリリットルの赤ワイン（Chateau Cure-Bon 1998 French）を入れ、密封して５０℃に加温し、該容器のヘッドスペースに本実施例で調製したコイル状試料採取片２８を６０分間保持して該赤ワインの香気を試料として吸着させた。
【００３８】
次に、前記コイル状試料採取片２８の内側に、図３Ａに示すサンプリングユニット２０の試料採取ロッド２６の先端部２６ａを押し込んで嵌合させた後、図３Ｂに示すように、試料採取ロッド２６を後退させ、先端部２６ａ及びコイル状試料採取片２８をニードル２３内に収容した。
【００３９】
次に、先端部２６ａ及びコイル状試料採取片２８がニードル２３内に収容されている状態で、図１に示すように、サンプリングユニット２のニードル２３を、気相成分分析装置１のセプタム１２に穿刺した。
【００４０】
次に、図３Ａに示すように、先端部２６ａ及びコイル状試料採取片２８をニードル２３から露出させ、加熱部１１内で加熱することにより、樹脂層に吸着された試料を熱脱着させ、気相成分を生成させた。前記熱脱着のための加熱は、４０℃から毎分４０℃の昇温速度で１８０℃まで昇温し、１８０℃に３分間保持することにより行った。
【００４１】
次に、スプリットベント管１７の開閉弁１８を開弁することにより、前記熱脱着により生成した気相成分の量を調整し、生成量の１／５の気相成分を分離カラム１４に導入した。分離カラム１４に導入した気相成分は、分離カラム１４の加熱部１１側の端部から３００ｍｍの部分を液体窒素に浸漬することによりトラップしたのち、液体窒素から出し、恒温槽１０内の温度を４０℃から毎分２０℃の昇温速度で３００℃まで昇温し、３００℃に１０分間保持することによりガスクロマトグラフィーを行った。
【００４２】
分離カラム１４としては、内径０．２５ｍｍ、長さ３０ｍで内面に１μｍの厚さのジメチルポリシロキサン層を備える金属キャピラリーカラム（フロンティア・ラボ株式会社製）を用いた。結果を図５Ａに示す。
【００４３】
図５Ａから、本実施例で調製したコイル状試料採取片２８を装着したサンプリングユニット２を用いることにより、コイル状試料採取片２８に吸着された試料から、ａ〜ｉの化合物が分離されていることがわかる。ａ〜ｉの化合物はそれぞれ、ａ：エチルヘキサノエート、ｂ：フェネチルアルコール、ｃ：エチルオクタノエート、ｄ：エチルノナノエート、ｅ：エチルデカノエート、ｆ：
【００４４】
【化１】
0006419231.tif 000002
、ｇ：２−ヘプタデカノン、ｈ：ペンタデカナール、ｉ：メチルパルミテートである。
【００４５】
〔実施例２〕
本実施例では、内径１ｍｍ、長さ１０ｍｍのステンレス製コイルの表面にケイ素被膜層を形成し、該ケイ素被膜層上に、中程度の極性を有する樹脂としてのシアノプロピルフェニルジメチルポリシロキサンからなる厚さ２μｍの樹脂被膜層を形成することにより、コイル状試料採取片２８を調製した。本実施例のコイル状試料採取片２８は、前記樹脂層に無機顔料としてバナジウムジルコニウム青が混合されることにより、青色に着色されている。
【００４６】
本実施例では、本実施例で調製したコイル状試料採取片２８を用いた以外は、実施例１と全く同一にして、ガスクロマトグラフィーを行った。結果を図５Ｂに示す。
【００４７】
図５Ｂから、本実施例で調製したコイル状試料採取片２８を装着したサンプリングユニット２を用いることにより、コイル状試料採取片２８に吸着された試料から、実施例１と同一のａ〜ｈの化合物に加え、ｉ：メチルパルミテートに代えて、ｊ：２−ヘプタデカノン及び、ｋ：ヘプタデカナールが分離されていることがわかる。
【００４８】
〔実施例３〕
本実施例では、内径１ｍｍ、長さ１０ｍｍのステンレス製コイルの表面にケイ素被膜層を形成し、該ケイ素被膜層上に、中程度の極性を有する樹脂としてのプロピレングリコールとジメチルポリシロキサンとの混合物からなる厚さ２μｍの樹脂被膜層を形成することにより、コイル状試料採取片２８を調製した。本実施例のコイル状試料採取片２８は、前記樹脂層に無機顔料としてクロムチタン黄が混合されることにより、黄色に着色されている。
【００４９】
本実施例では、本実施例で調製したコイル状試料採取片２８を用いた以外は、実施例１と全く同一にして、ガスクロマトグラフィーを行った。結果を図５Ｃに示す。
【００５０】
図５Ｃから、本実施例で調製したコイル状試料採取片２８を装着したサンプリングユニット２を用いることにより、コイル状試料採取片２８に吸着された試料から、実施例１と同一のｂ〜ｄの化合物が分離されていることがわかる。
【００５１】
〔実施例４〕
本実施例では、内径１ｍｍ、長さ１０ｍｍのステンレス製コイルの表面にケイ素被膜層を形成し、該ケイ素被膜層上に、大きな極性を有する樹脂としてのプロピレングリコールからなる厚さ２μｍの樹脂被膜層を形成することにより、コイル状試料採取片２８を調製した。本実施例のコイル状試料採取片２８は、前記樹脂層に無機顔料としてカーボンが混合されることにより、黒色に着色されている。
【００５２】
本実施例では、本実施例で調製したコイル状試料採取片２８を用いた以外は、実施例１と全く同一にして、ガスクロマトグラフィーを行った。結果を図５Ｄに示す。
【００５３】
図５Ｄから、本実施例で調製したコイル状試料採取片２８を装着したサンプリングユニット２を用いることにより、コイル状試料採取片２８に吸着された試料から、実施例１と同一のｂ〜ｄの化合物が分離されていることがわかる。
【００５４】
実施例１〜４から、本発明のサンプリングユニットによれば、前記樹脂被膜層として、分析対象に応じて異なる極性を備える樹脂を使い分けることにより試料中の各種成分を選択的に分析することができることが明らかである。
【００５５】
尚、本実施形態では、前記試料採取片がコイル状試料採取片２８である場合について説明しているが、該試料採取片は試料採取ロッド２６の先端に着脱自在に装着される構成を備えていればよく、コイル状試料採取片２８に限定されることはない。
【符号の説明】
【００５６】
１…気相成分分析装置、  ２…サンプリングユニット、  １１…加熱部、  ２０…シリンダ、  ２１…プランジャ、  ２３…ニードル、  ２４…シリンジ、２６…試料採取ロッド、  ２８…試料採取片。
【図１】
0006419231.tif 000003
【図２】
0006419231.tif 000004
【図３】
0006419231.tif 000005
【図４】
0006419231.tif 000006
【図５】
0006419231.tif 000007